(57)【特許請求の範囲】
【請求項１】
少なくとも、光源モジュール（５０）とケーシングを有する制御装置（２０）とを収容するハウジング（１０）を備え、前記制御装置（２０）は、ケーブル（５）及び前記光源モジュール（５０）に電気的に接続されている光源（１）であって、
前記ハウジングは、前記少なくとも１つのケーブル（５）を収容するためのケーブルダクト（１７）を有し、
前記ケーブルダクト（１７）は、少なくとも第１の電気コネクタ（３０）を有しているか又は少なくとも該第１の電気コネクタ（３０）に結合されており、前記第１の電気コネクタ（３０）は前記ケーブル（５）に接続されており、
前記制御装置（２０）は、少なくとも、第２の電気コネクタ（３５）及び第３の電気コネクタ（３６）を有し、前記第２の電気コネクタ（３５）は、前記第１の電気コネクタ（３０）に対し相補的であり、
前記ケーブルダクト（１７）及び／又は前記制御装置（２０）は、前記ケーブルダクト（１７）を前記制御装置（２０）に結合するための第１の支持構造体（１５，２５）を有し、前記第１の電気コネクタ（３０）及び前記第２の電気コネクタ（３５）がプラグ接続されると、前記第１の支持構造体（１５，２５）が前記ケーブルダクト（１７）を前記制御装置（２０）に結合することを特徴とする光源（１）。
【請求項２】
前記光源モジュール（５０）は少なくとも第４の電気コネクタ（４０）を有し、
前記光源モジュール（５０）及び／又は前記制御装置（２０）は、前記光源モジュール（５０）を前記制御装置（２０）に結合するための第２の支持構造体を有し、
前記第３の電気コネクタ（３６）及び前記第４の電気コネクタ（４０）がプラグ接続されると、前記第２の支持構造体が前記光源モジュール（５０）を前記制御装置（２０）に結合する、請求項１記載の光源。
【請求項３】
前記第１の支持構造体及び／又は前記第２の支持構造体は、前記第１の電気コネクタ（３０）と前記第２の電気コネクタ（３５）とに、及び／又は前記第３の電気コネクタ（３６）と前記第４の電気コネクタ（４０）とに、少なくとも一部において組み込まれている、請求項２記載の光源（１）。
【請求項４】
前記ケーブルダクト（１７）の延在構造が縦方向及び横方向を規定しており、
前記第２の電気コネクタ（３５）及び前記第３の電気コネクタ（３６）は、前記縦方向及び／又は前記横方向に互いに対してずらされている、請求項１から３までのいずれか１項記載の光源（１）。
【請求項５】
前記ハウジングは少なくとも枠体（１０）を有し、
前記枠体（１０）は、ベース脚部（１１）と、該ベース脚部（１１）から延在する１組の脚部（１４）とを有し、
前記ベース脚部（１１）と前記１組の脚部（１４）とは、少なくとも前記制御装置（２０）及び／又は前記光源モジュール（５０）のための区画（１８）を形成する、請求項１から４までのいずれか１項記載の光源（１）。
【請求項６】
前記光源モジュール（５０）が前記区画（１８）をカバーする、請求項５記載の光源（１）。
【請求項７】
前記脚部（１４）の各々は、少なくとも第１の取り付け部材（１５）を有し、
前記制御装置（２０）は、少なくとも第２の取り付け部材（２５）を有し、
前記第１及び第２の取り付け部材（１５，２５）が係合し、これにより前記ケーブルダクト（１７）を前記制御装置（２０）に結合する、請求項５又は６記載の光源（１）。
【請求項８】
前記光源モジュール（５０）は、少なくとも１つの連結部材（５９）を有し、
前記連結部材（５９）は、前記第１又は第２の取り付け部材（１５，２５）の少なくとも一方が係合を解除することを阻止する、請求項１から７までのいずれか１項記載の光源。
【請求項９】
前記第２及び第３の電気コネクタ（３５，３６）の少なくとも一方は、前記制御装置（２０）のケーシングに固定されている、請求項１から８までのいずれか１項記載の光源。
【請求項１０】
前記光源モジュール（５０）は基部（５１）を有し、
前記基部（５１）は、光出口窓（５２）と、該光出口窓（５２）に対してプリント基板（５４）の位置を規定する少なくとも１つの台（５３）とを形成する凹部を有し、
前記プリント基板（５４）は前記凹部をカバーしており、
前記プリント基板（５４）及び前記基部（５１）は、互いに結合されている、請求項１から９までのいずれか１項記載の光源。
【請求項１１】
光源モジュール（５０）及び制御装置（２０）を収容するハウジング（１０）であって、少なくとも１つのケーブル（５）を収容するためのケーブルダクト（１７）を少なくとも備え、該ケーブルダクト（１７）は、少なくとも第１の電気コネクタ（３０）を有するか又は少なくとも該第１の電気コネクタ（３０）に結合されており、該第１の電気コネクタ（３０）は前記ケーブル（５）に接続されているハウジング（１０）と、
少なくとも、前記第１の電気コネクタ（３０）と結合するための第２の電気コネクタ（３５）を有し、これにより前記ケーブル（５）に電気的に接続される制御装置（２０）と、
前記制御装置（２０）に電気的に接続される前記光源モジュール（５０）と、を少なくとも備える、請求項１から１０までのいずれか１項記載の光源を形成するためのキットであって、
前記ケーブルダクト（１７）及び／又は前記制御装置（２０）は、前記ケーブルダクト（１７）を前記制御装置（２０）に結合するための第１の支持構造体（１５，２５）を有し、前記第１の電気コネクタ（３０）及び前記第２の電気コネクタ（３５）がプラグ接続されると、前記第１の支持構造体（１５，２５）が前記ケーブルダクト（１７）を前記制御装置（２０）に結合することを特徴とする光源を形成するためのキット。
【発明の詳細な説明】
【技術分野】
【０００１】
本発明は、請求項１の前文に記載の、制御装置及び光源モジュールのためのハウジングを備えるモジュール式のＬＥＤ光源に関する。
【０００２】
関連技術の開示
米国特許出願第２００６０２６２５４５号明細書は、モジュール式のＬＥＤ光源を開示する。ＬＥＤ光源は、制御装置を挿入するための区画を有するハウジングを備える。制御装置は、配線によって電源供給ラインとデータバスとに接続され、データバスとは、例えばＲＪ４５型ジャックを介したイーサネットである。制御装置は、ＬＥＤモジュールに、出力配線によって接続されている。出力配線は、ＬＥＤモジュールの接続部用のソケットで終端していてよい。ソケットは基部に取り付けられており、基部はハウジングによって支持されている。ＬＥＤ光源を組み立てるためには、ハウジングは天井における開口部内に挿入されて、この天井に固定される。次いで、配線は、電源供給ライン、制御インプット配線に接続され、ハウジングの開口を介して区画内に挿入される。制御装置がその最終的な位置に到達すると、制御装置は、緊締エレメントによってハウジングに結合される。
【０００３】
米国特許出願第２００９２６８４３５Ａ１号明細書は、下向きの照明アッセンブリ、即ち光源を開示する。光源はハウジングを有し、このハウジングは、側板を有するレセプタクルトレイで電力供給モジュールを取り外し自在に支持する。レセプタクルトレイは、トレイ取付タブから一体的に延在する螺子切りされたピンによってハウジングに固定されている。電源供給モジュールは２つの取付タブを有しており、このタブの各々は、上記螺子切りされたピンの１つを受容するためのスロットを有する。蝶ナットがそれぞれのピンに螺合し、それによってモジュール式組み立てタブをハウジング壁に緊締する。
【０００４】
米国特許出願第２００４０１８４２６４Ａ１号明細書は、支持モジュールと、この支持モジュールからぶら下がり、光源固定ボディモジュールを吊り下げるための支持部とを備える光源を開示する。
【０００５】
発明の概要
本発明は、壁又は天井用のＬＥＤ光源が多くの場合モジュール式デザインを採用しているという所見に基づくものである。しかしながら、これらのＬＥＤ光源は組み立てが複雑であり、多くの場合、その組み立てに、配線を接続するための有資格電気技師を必要とする。
【０００６】
本発明によって解決されるべき課題は、モジュール式のＬＥＤ光源の組み立てを容易にすることであり、このＬＥＤ光源は、特に、「光源の帯」即ち光源の列を形成するために、他の光源と列を成して配置されるのに適している。
【０００７】
この課題の解決策は独立請求項に記載されている。従属請求項は、本発明の更なる改良に関する。
【０００８】
光源は、少なくとも、光源モジュール及び制御装置のためのハウジングを備える。好ましくは、制御装置はケーシングを有しており、ケーブル及び光源モジュールに電気的に接続されている。ケーブルとは、例えば電源供給ライン及び／又はデータ伝送ケーブルである。好ましくは、ハウジングは、少なくとも１つの電源供給ラインを収容するためのケーブルダクトを備える。ケーブルダクトは、少なくとも第１の電気コネクタを備えてもよく、第１の電気コネクタは上記ケーブルダクトに結合される。制御装置は、少なくとも第２の電気コネクタを備えてもよく、更に好ましくは第３の電気コネクタを備えてもよい。第２の電気コネクタは、第１の電気コネクタに対して相補的である。好ましくは、ケーブルダクト及び／又は制御装置は、ケーブルダクトを制御装置に結合するための第１の支持構造体を備える。第１の電気コネクタ及び第２の電気コネクタが、それらの最終的なプラグ接続位置に到達するとき、第１の支持構造体はケーブルダクトを制御装置に結合する。このことは、制御装置及びケーブルダクトを同時に、電気的に接続するとともに機械的に結合することを可能にする。第１及び第２の電気コネクタをプラグ接続することによって、制御装置はケーブルに電気的に接続される。支持構造体は、制御装置をケーブルダクトに、ひいてはハウジングに機械的に結合する。
【０００９】
好ましくは、第２の電気コネクタは、ケーブルダクトの外側から第１の電気コネクタ内にプラグ接続されることができ、即ち第１の電気コネクタには、ケーブルダクトを開放することなくアクセス可能である。それによって、例えば電源供給ラインであるケーブルと、第１の電気コネクタの「ユーザーインタフェース側」とは分離されている。
【００１０】
光源は、少なくともケーシングと第２の電気コネクタと第３の電気コネクタとを有する制御装置を更に備え、この場合、第２の電気コネクタは第１の電気コネクタに対して相補的であり、第２の電気コネクタ及び第３の電気コネクタの各々は、好ましくはケーブルダクトの外部側からプラグ接続可能である。このことは、第１及び第２の電気コネクタを直接的に接続することを可能にする。第２及び第３の電気コネクタの少なくとも一方は、好ましくは制御装置のケーシングに固定されている。第２及び／又は第３の電気コネクタは、ケーシングに一体に組み込まれていてもよい。それらのピン及び／又は雌型対応部品は、制御装置の回路基板に直接的に備え付けられていてもよい。光源モジュールは、第４の電気コネクタを備えていてもよい。第４の電気コネクタが第３の電気コネクタに対して相補的であり、ケーシングの外側からプラグ接続可能である場合、光源モジュールは、第３及び第４の電気コネクタをプラグ接続するだけで制御装置に接続され得る。制御装置及び光源モジュール間の電気的な接続は、第３及び第４のコネクタを結合／プラグ接続することによって提供される。
【００１１】
好ましくは、ケーブルダクト及び／又は制御装置は、ケーブルダクトを制御装置に結合するための第１の支持構造体を有し、この場合、第１の電気コネクタ及び第２の電気コネクタがそれらの最終的な位置に到達すると、第１の支持構造体がケーブルダクトを制御装置に結合する。従って、第１及び第２の電気コネクタがプラグ接続されると、制御装置はケーブルダクトに自動的に結合される。第１の支持構造体は、第１及び／又は第２の電気コネクタに一体に組み込まれていてもよい。択一的には第１の支持構造体は独立しているが、好ましくは、第１及び第２の電気コネクタが互いに接続されると同時に、ケーブルダクト及び制御装置が互いに結合される。第１の支持構造体は、第１及び第２の電気コネクタの接続をロックする。
【００１２】
好ましくは、光源モジュール及び／又は制御装置は、光源モジュールを制御装置に結合するための第２の支持構造体を備え、この場合、第３の電気コネクタ及び第４の電気コネクタがそれらの最終的なプラグ接続位置に到達すると、第２の支持構造体が光源モジュールを制御装置に機械的に結合する。このことは、光源モジュールを、ケーブルダクト及び／又は制御装置のそれぞれに、簡単且つ安全に、結合且つ接続することを可能にする。
【００１３】
第１の支持構造体及び／又は第２の支持構造体は、第１の電気コネクタと第２の電気コネクタとに、及び／又は第３の電気コネクタと第４の電気コネクタとに、それぞれ、少なくとも一部において組み込まれている。
【００１４】
ケーブルダクトの拡張は、縦方向及び横方向を規定している。好ましくは、第２の電気コネクタ及び第３の電気コネクタは、縦方向及び／又は横方向に互いに対してずらされている。このことは、低減された高さ寸法を有する制御装置の設計を可能にする。制御装置は、２つ又はそれ以上の光源モジュールに接続され、且つ／又は結合されてもよい。それに応じて、制御装置は２つ又はそれ以上の第３の電気コネクタを有してもよい。
【００１５】
好ましくは、ケーブルダクトは少なくとも枠体を有し、この枠体は、少なくとも、ベース区分と該ベース区分から延在する２つの脚部とを有し、この場合、ベース区分と２つの脚部とは、少なくとも制御装置及び／又は光源モジュールのための区画を形成する。制御装置は上記区画内に簡単に挿入されることができ、第１及び第２の電気コネクタは同時に接続されるとともに、支持構造体はケーブルダクトを制御装置に同時に結合することができる。従って、制御装置を区画内に挿入するのに十分であるので、制御装置の組み立ては極めて容易である。好ましくは、２つの脚部は、支持構造体の一部であり、制御装置のための案内部として構成されてよく、この案内部は、制御装置を区画内に挿入する際、その最終的な位置に制御装置を案内する。例えば、ケーブルダクトは、Ｈ型横断面の枠体を備える。Ｈ型枠体の水平バーは、ベース区分を形成する。２つの、下方に延在する脚部が、上記脚部を形成する。これらの脚部は、制御装置のための区画を規定し得る。２つの、上方に延在する脚部は、例えば電源供給ライン又は他のケーブルを収容するためのケーブルダクトを形成し得る。カバーはケーブルダクトを閉鎖する。
【００１６】
例えば、２つの脚部の各々は少なくとも第１の取り付け部材を有し、制御装置は少なくとも第２の取り付け部材を有する。制御装置が区画内でその最終的な位置に到達すると、第１及び第２の取り付け部材が係合し、これによりケーブルダクトを制御装置に結合する。
【００１７】
制御装置にプラグ接続される際、光源モジュールは制御装置のための区画をカバーする。従って、光源は、ケーブルダクト内に完全に組み込まれて見える。
【００１８】
好ましくは、光源モジュールは少なくとも連結部材を有し、この場合、連結部材は、第１又は第２の取り付け部材の少なくとも一方が係合を解除することを阻止する。例えば、連結部材は、制御装置の凹部に係合する突出部であり、それによって、第１又は第２の取り付け部材の少なくとも一方が、第２及び又は第１の取り付け部材の各々と、非係合下で旋回することを阻止する。
【００１９】
例えば、光源モジュールは、光出口窓を少なくとも有する基部を備えてもよい。基部は少なくとも１つの凹部を有しており、この凹部は光出口窓を形成するとともに、この光出口窓に対する少なくとも１つのプリント基板の位置を規定する少なくとも１つの台を形成する。好ましくは、プリント基板は凹部をカバーする。プリント基板及びカバーは、接続フレームによって互いに結合されている。この種の結合は、ＬＥＤ又はその他光源の作動熱による、プリント基板及び基部の歪みを低減する。光源モジュールは、少なくとも１つの光源、例えば１つ又はそれ以上のＬＥＤを備える。好ましくは、光源は、基部及びプリント基板によって画定された区分のような箱内にある。
【００２０】
以下において、本発明は、一般的な発明の概念に限定することなく、参照符号を有する図面に対する実施形態の例として説明されている。
【図面の簡単な説明】
【００２１】
【図１】光源の断面図を示す。
【図２】光源の、組立分解等角断面図を示す。
【図３】部分的に組み立てられた光源の断面図を示す。
【図４】部分的に組み立てられた光源の断面図を示す。
【図５】光源の断面図を示す。
【００２２】
図１における断面図は、Ｈ型横断面の枠体１０を有するハウジングを備える光源１を示す。従って、枠体は、１つのベース脚部１１と、このベース脚部１１から延在する２組の自由脚部１３，１４とを有する。脚部１３及びベース脚部１１は、カバー１６によって閉鎖され得るケーブルダクト１７を提供する。脚部１１，１４間の空間は、制御装置２０及び光源モジュール５０のための区画１８を形成する。
【００２３】
ケーブルダクト１７内にはケーブル５があり、ケーブル５は、制御装置に電力を供給するとともに、好ましくは更に制御装置にデータ回線を介してデータを供給する。ケーブル５は、ベース脚部１１を通って延在する第１の電気コネクタ３０に接続されている。第１の電気コネクタ３０は、図１には図示されていない（図２参照）第２の電気コネクタ３５と接続される。第２の電気コネクタ３５は、制御装置２０のケーシングに一体に組み込まれている。このケーシングは、上半部シェル２１及び下半部シェル２２を有する。上半部シェル２１及び下半部シェル２２の間には、電子部品（図示せず）がある。制御装置２０は、区画１８内に配置されるとともに、第１の支持構造体の可撓性レバー２５によって枠体１０に結合されている。より詳細には下述されるように、レバー２５は、脚部１４から区画１８内に延在する突出部１５のようなリムと係合する。光源モジュール５０は、制御装置２０に結合される。
【００２４】
図２は、図１の光源の、組立分解断面図を示す。図２に示されるように、制御装置２０は第３の電気コネクタ３６を有し、この第３の電気コネクタ３６は、光源モジュール５０の第４の電気コネクタ４０と結合する。光源モジュール５０及び制御装置２０は、第２の支持構造体によって互いに結合されている。第２の支持構造体は、制御装置のケーシングから延在するラッチ２６を有する。ラッチ２６の遠位端部には、光源モジュール５０の凹所部材５５内に係合する止め部２７が設けられ、これにより光源モジュール５０を制御装置２０に結合する。
【００２５】
光源モジュール５０は、光が透過可能な基部５１を有する。基部５１は少なくとも１つの凹部５７を有しており、この凹部５７は、光出口窓５２を形成するとともに、プリント基板５４のための少なくとも１つの台５２を形成する。台５２は、光出口窓５２に対する、プリント基板５４の位置を規定する。プリント基板５４は、凹部５７を覆い、ＬＥＤ５６のような光源を支持し得る。プリント基板５４及び基部５１は、接続フレーム６０によって互いに結合されてもよい。
【００２６】
光源モジュール５０、特に光源モジュールの基部５１は、連結部材５９としての突出部５９を有してもよい。各連結部材５９は、第１の支持構造体のレバー２５をブロックして固定してもよい。これは、光源モジュール５０を制御装置に結合するということは制御装置をケーブルダクト１７と連結することである、ということを意味する。
【００２７】
図３は、部分的に組み立てられた光源の断面を示す。制御装置２０は、既に、ケーブルダクト１７の枠体１０に結合されている。第２の電気コネクタ３５は第１の電気コネクタ３０と係合し、第１の支持構造体（図示されず、図２参照）が、制御装置２０とケーブルダクト１７とを結合する。光源モジュール５０は、制御装置２０に結合されると同時に接続されるために準備される。プリント基板５４は、基部５１の光出口窓５２の真上で、凹部を覆うように示されている。図３に最も良く示されているように、基部５１は、連結部材５９及び凹所部材５５のような突出部を有しており、凹所部材５５は、第２の支持構造体の一部である。第３の電気コネクタ３６及び第４の電気コネクタ４０は図３では見ることができない。なぜなら、図４に示されるように、それらのコネクタ３６，４０は、第１及び第２の電気コネクタに対して、縦方向にずらされているからである。
【００２８】
図４は、制御装置２０の結合後の、部分的に組み立てられた光源１の更なる断面図である。光源モジュール５０は、制御装置２０に結合されるため準備されている。図示されているように、光源モジュールは基部５１を有し、この基部５１は、光出口窓５２を形成する凹部を有する。凹部の、少なくとも狭小の面は段部を形成し、この段部はプリント基板５４のための台５３である。プリント基板５４は、光源によって生じた熱を消散させるための金属層を有してもよい。図示されるように、プリント基板は貫通孔を有していてよく、この貫通孔を通って、第４の電気コネクタ４０が延在する。好ましくは、光出口窓に面するプリント基板の面で、第４の電気コネクタはプリント基板と電気的に接続される。第４の電気コネクタ４０は、第３の電気コネクタ３６と相対向して位置しており、これは、光源５０を制御装置２０に結合すると同時に、第３の電気コネクタ３６に結合させるためである。光源モジュール５０を制御装置２０に結合するため、光源１は第２の支持構造体を有する。第２の支持構造体はラッチ２６を備え、各ラッチ２６は、それらの遠位端部に、相補的な凹所部材５５と係合するための止め部２７を有している。凹所部材５５は、図示された例では光源モジュール５０から延在する突出部であり、各凹所部材５５は、止め部２７の係合のために各々２つの凹部を有している。
【００２９】
図５は、制御装置２０に光源モジュール５０を結合した後の、光源の詳細な断面図を示す。光源モジュール５０は区画１８を閉鎖するものの、光源モジュール５０と脚部１４との間には小さな通気用間隙が残る。従って、光源モジュール５０及び制御装置２０は通気され、ひいては冷却される。既に上述したように、第１の支持構造体は、制御装置２０を、ケーブルダクト１７特に枠体１０の脚部１４に結合させる。図示されているように、第１の支持構造体はレバー２５を備えており、このレバー２５は、制御装置２０に、図示された例では制御装置２０のケーシングの上半部２１に、可撓性をもって接続されている。レバー２５の各々は、ケーシングから離れた方を向くノーズ部２４を有する。制御装置２０を区画１８内に挿入するとき、脚部１４の突出部１５がノーズ部２４のブリッジに亘って摺動し、これによって、レバー２５がその最終的な位置に到達するまで、即ち図示された位置に到達するまで、レバー２５を制御装置２０の方向に旋回させる。レバー２５は直ちに脚部１４の方に旋回し、ノーズ部２４の下面が突出部１５と係合する。次いで、光源モジュール５０は制御装置２０に結合される。光源モジュール５０は連結部材５９を有しており、各連結部材５９は、制御装置２０側のレバー２５の面に対してブロックとして配置されており、これによってレバー２５の旋回が妨害され、ひいてはノーズ部２４の突出部１５からの解除が妨害される。さもなければ、制御装置２０の、ケーブルダクト１７への取り付けが解除されてしまう。
【００３０】
光源モジュール５０を制御装置２０に結合すると、第３及び第４の電気コネクタが結合される。同時に、止め部２７が各凹所部材５５に亘って摺動し、それによって、止め部２７の各々が凹所部材５５各々の凹部に進入するまで、ラッチを旋回させる。第３及び第４の電気コネクタ３６，４０は直ちに接続され、光源モジュール５０は制御装置２０に結合される。光源は完全に組み立てられる。道具や特別なスキルは必要なく、有資格電気技師のような専門家も必要ない。光源を組み立てるためには、単に、制御装置２０をケーブルダクト１７に、及び光源モジュール５０を制御装置２０に「カチリと嵌める」必要があるだけである。光源モジュール５０又は制御装置２０が故障した場合、支持構造体の各々は順次取り外すことができ、構成部品を容易に交換することができる。光源モジュール５０を取り外すためには、凹所部材５５と止め部２７との係合を解除するためにラッチ２７が旋回される。次いで、光源モジュール５０は制御装置２０から引き抜かれ、それによって第３及び第４の電気コネクタ３６，４０を分離する。光源モジュール５０を制御装置２０から引き抜き、これにより第３及び第４の電気コネクタ３６，４０を分離するために必要な移動距離は、好ましくは、第１の支持構造体と係合する連結部材５９のセクションよりも短い。それによって、光源モジュール５０の取り外しが完了するまで、第１の支持構造体の連結、即ちケーブルダクト１７及び制御装置２０の連結が解除され得ないということが保証される。
【００３１】
ケーブル５がその両端部に電気コネクタを有するならば、光源の列を形成することを可能にするので、１つの共通のケーブルダクト１７を形成するとともにケーブル５を接続するための枠体１０を単純に一列に並べることにより、光源の組み立ては更に単純化することができる。その後、制御装置２０及び光源モジュール５０は、上述のように結合され得る。
【００３２】
制御装置２０は光源のための電力供給部を備えてもよいことが理解される。ケーブル５は、単相或いは多相の交流電源供給ラインであってもよく、又はケーブル５は、例えば１つ或いは複数のＬＥＤである少なくとも１つの光源を直接的に駆動するようには適合されていない直流信号を伝送してもよい。制御装置２０は、ケーブル５によって供給された電力を、少なくとも１つの光源のための電力信号に変換してもよい。
【００３３】
さらに、制御装置２０は、光源及び／又はプリント基板の温度、光源の電源オン時間、光度又はこれらに類する変数を監視することができるとともに、光源に供給された電力を、上述の変数の少なくとも１つの関数で制御することができる。好ましくは、制御装置２０は、幾つかのデータバスによって、メイン制御装置に接続されている。データバスは、メイン制御装置が制御装置と、例えば上述の変数の値などのデータを授受することを可能にし、且つ／又は「ｘｘ％で光源を電源オン」、「光源の電源オフ」のような指示を送ることを可能にする。
【符号の説明】
【００３４】
１  光源
５  ケーブル／リボンケーブル／電源供給ライン
１０  枠体
１１  ベース脚部
１３  自由脚部
１４  自由脚部
１５  第１支持構造体の突出部
１６  ケーブルダクトカバー
１７  ケーブルダクト
１８  区画
２０  制御装置
２１  ケーシングの上半部シェル
２２  ケーシングの下半部シェル
２４  ノーズ部
２５  レバー
２６  ラッチ
２７  止め部
３０  第１電気コネクタ
３５  第２電気コネクタ
３６  第３電気コネクタ
４０  第４電気コネクタ
５０  光源モジュール
５１  基部／ランプカバー
５２  光出口窓／凹部
５３  台
５４  プリント基板
５５  第２支持構造体の凹所部材
５６  ＬＥＤ／光源
５８  間隙
５９  連結部材／突出部
６０  接続フレーム
【図１】
0005784262.tif 000002
【図２】
0005784262.tif 000003
【図３】
0005784262.tif 000004
【図４】
0005784262.tif 000005
【図５】
0005784262.tif 000006